Podtech/llm-jp-corpus-v4-ja_patent huggingface dataset:
(57)【要約】【課題】従来の泥土の固化方法では、泥土が固化するまでに長時間を要する。また、セメント系、石灰系固化剤を使用することにより、泥土中のｐｈ値がアルカリ性となり土壌汚染の原因となった。【解決手段】泥土にアルギン酸ナトリウム及びゼオライト、フライアッシュ等の凝集固化反応剤を添加して混合撹拌して高含水比泥土を凝集固化させる高含水比泥土の固化方法を提供する。  而して、土木作業時に多量に発生する泥土や、工場、汚水処理場等で生じる活性泥土を短時間に固化できるようにした。。【特許請求の範囲】
【請求項１】
高含水比泥土を固化するにあたり、該泥土にアルギン酸ナトリウム及びゼオライト、フライアッシュ等の凝集固化反応剤を添加して混合撹拌することにより、高含水比泥土を凝集固化させることを特徴とする高含水比泥土の固化方法。
【発明の詳細な説明】
【技術分野】
【０００１】
本発明は、高含水比泥土の固化方法に関し、詳しくは泥土にアルギン酸ナトリウム及び凝集固化反応剤、例えばゼオライト、フライアッシュ等を添加して、高含水比泥土を凝集固化させる高含水比泥土の固化方法に関するものである。
【背景技術】
【０００２】
従来、杭打ち、トンネル掘削、ボーリング、湖沼の堆積土の除去等の土木作業時には、多量の泥土が発生する。これらの泥土をそのまま埋立地へ運搬することは困難であるため、通常は、泥土中にセメント系、石灰系、高分子固化剤を添加し、泥土を固化処理してから所定地へ運搬するようにしていた。
【０００３】
しかし、上記従来の方法では泥土が固化するまでに長時間を要する。また、セメント系、石灰系固化剤を使用することにより、泥土中のｐｈ値がアルカリ性となり土壌汚染の原因となる。一方、高分子系固化剤を使用するとｐｈ値は中性であるが、所定の強度を満足させることができない。
【非特許文献１】ラサ工業株式会社「Ｎｅｕｔｒａｌｉｔｙ  Ｓｔａｂｉｌｉｚｉｎｇ  Ａｇｅｎｔ」
【発明の開示】
【発明が解決しようとする課題】
【０００４】
解決しようとする問題点は、従来泥土を固化するのに非常に長時間要していたのを短時間にて固化できるようにしたこと、並びに土中のｐｈ値をアルカリ性として土壌汚染の原因となることなくするようにしたことである。
【課題を解決するための手段】
【０００５】
本発明は上記課題を解決するためになされたものであって、その要旨とするところは、高含水比泥土を固化するにあたり、該泥土にアルギン酸ナトリウム及びゼオライト、フライアッシュ等の凝集固化反応剤を添加して混合撹拌することにより、高含水比泥土を凝集固化させることを特徴とする高含水比泥土の固化方法に関するものである。
【発明の効果】
【０００６】
上記の様に、本発明の高含水比泥土の固化方法によれば、高含水比な泥土の固化を短時間ででき、しかも強度を発現させることができる。
また、本発明の固化方法に係る配合品はｐｈ値が中性のため、土壌汚染を引き起こすことはない。
【０００７】
また、本発明の固化方法に使用するアルギン酸ナトリウムは昆布などから得られる人体に無害な薬剤であるため、本発明の方法にて得られた泥土は全く無害であり、有効利用が可能。然かも泥土の処理コストを低減できる。
【発明を実施するための最良の形態】
【０００８】
高含水比泥土を固化するにあたり、泥土にアルギン酸ナトリウム及び凝集固化反応剤（ゼオライト、フライアッシュ等）を添加し、高含水泥土を凝集固化させるようにした。
【０００９】
高含水比泥土としては、特に限定しないが、例えば杭打ち、トンネル掘削、ボーリング、湖沼の堆積土の除去等の土木作業時に生じる泥土や、工場、汚水処理場等で生じる活性汚泥などが挙げられる。
【００１０】
アルギン酸ナトリウムと凝集固化反応剤は、あらかじめ混合しておいてから泥土に添加することが望ましい。即ち、アルギン酸ナトリウムと凝集固化反応剤とを同時に添加すると、アルギン酸ナトリウムが固まって継粉になるのを防止できる。
また、アルギン酸ナトリウムと凝集固化反応剤とを混同したものを使用した方が固化が効率的である。
【００１１】
アルギン酸ナトリウムは低重合度から高重合度まで幅広く使用できるが、高重合度のものを使用するほうが、使用量が少なくて済み経済的でより好ましい。
なお、凝集固化反応剤は、ゼオライト、フライアッシュ等の水用中で金属塩が溶出される鉱物或いは、化学物質を使用しても差し支えない。
【００１２】
凝集固化反応剤の添加割合は、作業現場の環境に合わせて選択することができる。即ち、凝集固化反応剤の割合を少なくすれば泥土の強度が小さくなり、逆に多ければ大きくなる。金属塩は水銀以外の２価以上の金属塩であれば、何でも使用できるが、扱いやすさ、価格、安全性、反応性の点でゼオライトが好適である。
【００１３】
高含水比泥土を固化する際、先ず泥土を撹拌しながらアルギン酸ナトリウム及び凝集固化反応剤を添加する。
【００１４】
そして、泥土にアルギン酸ナトリウムを添加後、撹拌することでアルギン酸ナトリウムが泥土中に分散・溶解し、一方凝集固化反応剤も泥土中に分散し、金属塩が溶出される。
【００１５】
このとき、アルギン酸ナトリウムが泥土中に分散・溶解され、つづいて、凝集固化反応剤から金属塩が泥土中に溶出されることにより、金属と置換されて金属を介して架橋されうまく凝集固化される。しかも、この架橋反応の際に土粒子がこのゲル中に物理的に包含されて水と分離することもできる。
【００１６】
以下、本発明高含水比泥土の固化方法の実施例を説明する。
【実施例】
【００１７】
高含水比泥土として大阪付近の粘土質の泥土（含水比６５．２％）２００ｇにアルギン酸ナトリウム配合品（アルギン酸ナトリウム８５％と凝集固化反応剤１５％からなる）を５％の添加率になるように添加し、約５分間急速撹拌を行った。
【００１８】
アルギン酸ナトリウム配合品で処理したときの強度試験結果を以下のように表に示す。
【００１９】
【表１】
2005081261.tif 000002
【００２０】
【表２】
2005081261.tif 000003
【００２１】
【表３】
2005081261.tif 000004
【００２２】
【表４】
2005081261.tif 000005
【産業上の利用可能性】
【００２３】
杭打ち、トンネル掘削、ボーリング、湖沼の堆積土の除去の土木作業時に多量に発生する泥土や、工場、汚水処理場等で生じる活性汚泥を短時間で、しかも経済的且安全的に固化する方法を提供することにより産業上に寄与させる。
(57)【要約】【課題】  本発明は、熱可塑性樹脂の亀裂や割れを、簡単な作業で補修し、十分な強度と優れた外観品質を両立させる。【解決手段】  本考案による熱可塑性樹脂溶着用こては、こて先は鋭角的な先端形状と十分な幅と肉厚を有し、十分な熱を発生するヒーター部を有することで、容易な溶着を可能とし、強度と外観品質を確保する。【選択図】  図１
2005081831.tif 000002
【特許請求の範囲】
【請求項１】
平こて（１）、ヒーター部（２）とにぎり（３）からなり、平こて（１）は、先端部の刃先の角度：２０〜４０度、肉厚：１．５〜４ｍｍ、幅：１０〜３０ｍｍを有し、ヒーター部は５０〜１２０Ｗの容量を持つ、熱可塑性樹脂溶着用こて
【発明の詳細な説明】
【発明の詳細な説明】
【技術分野】
【０００１】  本発明は熱可塑性樹脂用の溶着に係わるものであり、詳しくはポリプロピレンやＡＢＳ等の熱可塑性樹脂で作られた車用のバンパー、内装部品及びバイクのカウル等の亀裂や割れの補修に関するものである。
【背景技術】
【０００２】  従来の熱可塑性樹脂の亀裂や割れの補修には、接着によるもの、補強用の金属プレートとリベットによるもの、半田ごてでの溶着及びこれらの技術の組み合わせ等が知られている。
【発明の開示】
【発明が解決しようとする課題】
【０００３】  従来の技術で述べたもののうち、接着によるものは接着強度不足及び乾燥時間が必要という問題点を有していた。【０００４】  補強用金属プレートとリベットによるものは外観不良という問題点を有していた。【０００５】  また、従来の半田ごてによるものは、先端部が尖っていたり、円筒状の形状のため、溶着の際、作業性が悪く、また、溶融部位が狭いため、溶着強度不足や外観不良の問題点を有していた。【０００６】  本発明は、従来の技術に有するこのような問題点を鑑みてなされたものであり、その目的とするところは、作業現場において容易な溶着を可能とし、また、強度の確保や外観品質の改善を図ることである。
【課題を解決するための手段】
【０００７】  上記目的を達成させるために、本考案による溶着こては、図２の簡便なＶ字型溶着法を可能にし、安定した作業性を確保するため、こて先は鋭角的な先端形状と十分な幅と肉厚を有し、十分な熱を発生するヒーター部を有することで、強度の確保と外観品質の改善を図る。
【発明実施の形態】
【０００８】  考案の実施の形態について図面を参照して説明する。
【０００９】  図１において、平こて（１）は銅や銅合金等の熱伝導性の高い金属で作られている。
【００１０】  平こて（１）の先端形状は図１のストレート形状の他、切り出し状の斜めの刃のものでも同様の効果が得られる。
【００１１】  ヒーター部（２）はニクロム線等の電気抵抗により熱を発生するものであり、こて先１に密着している。
【００１２】  にぎり（３）は樹脂や木材等の断熱部材で出来ている。
【００１３】  溶着作業は、図２にあるように、こて先を亀裂に対してＶ字状になるように両側から入れ、その際中央部にできた溶融樹脂をこてで練り合わせた後、こて先にて平滑に仕上げ、熱が冷えれば完了である。
【００１４】  強度が必要な場合は同様の作業を裏面からも行い、表裏のＶ字部分がオーバーラップするようにする。
【００１５】  作業効率の点と練り合わせる溶融樹脂の量を確保するため、平こての幅は大きい方が望ましい。
【００１６】  平こてはカッターナイフ状に薄くて刃先が鋭い場合、こて先が異常に加熱し、樹脂を酸化劣化による変色や、こてに付着した樹脂の炭化が起こり易くなり、炭化物が樹脂に入り込む等の不具合が生じる。
【発明の効果】
【００１７】  本考案は、上述のとおり構成されているので、次に記載する効果を奏する。
【００１８】  溶着作業を誰でも簡単に行うことができる。
【００１９】  溶着によるため、十分な強度を確保でき、また、こてによる仕上げが可能なため、優れた外観品質を得ることができる。
【図面の簡単な説明】
【００２０】
【図１】熱可塑性樹脂溶着用こて
【図２】Ｖ字型溶着法説明図
【符号の説明】
【００２１】１  平こて
２  ヒーター部
３  にぎり
４  平こて先
５  溶融樹脂
６  亀裂
【図１】
2005081831.tif 000003
【図２】
2005081831.tif 000004
(57)【要約】【課題】象嵌紙の不要部分を発生しないようにすること。【解決手段】象嵌画像になる部分のみ断層隆起させ、箔によって不要部分のない象嵌紙を作り出しそれを空押しによって台紙に嵌め込む。【選択図】  図１
2005081836.tif 000002
【特許請求の範囲】
【請求項１】
箔によって、１枚の台紙から象嵌紙を作り出し象嵌する方法。
【発明の詳細な説明】
【発明の詳細な説明】
【技術分野】
【００１】  台紙に金紙、銀紙、色紙などの象嵌紙を嵌め込む紙の象嵌に関するものです。
【背景技術】
【００２】  金紙、銀紙、色紙などの裏に固体コロイド状になる接着剤を塗布し、乾燥して象嵌紙を作り象嵌紙を台紙にのせ象嵌版できりながら台紙に熱圧着させそのあと象嵌紙の不要部分を取り除き象嵌画像を台紙に定着させています。
【発明が解決しようとする課題】
【００３】  紙の象嵌においては象嵌紙の不要な部分を取り除く工程が象嵌の生産性を悪くしています。そこで、この工程を省けるようにします。
【課題を解決するための手段】
【００４】  台紙から象嵌画像のみを分離し、箔付けによって金紙、銀紙、色紙等の象嵌紙を作り出して、それをもとの台紙に嵌め込む方法にすれば象嵌紙の不要部分が発生しないので、象嵌紙の不要部分を取り除く工程が省けます。
【発明を実施するための最良の形態】
【００５】  台紙から象嵌画像のみを分離するために図（イ）のように象嵌版によって象嵌画像の切込みを台紙に入れ、エンボス版によって図（ロ）のように象嵌画像になる部分だけ持ち上げ正断層による分離をし、持ち上がった部分を箔付けによって、金紙にしたり、あるいは銀紙にしたり、あるいは色紙にした象嵌画像を図（ニ）のように嵌め込み台紙に定着させる。
【発明の効果】
【００６】  抜加工、箔押し加工、エンボス加工、空押し加工によって象嵌を作り出すことができる。
【図面の簡単な説明】
【図１】本発明の工程を示す断面図
【符号の説明】
（イ）は抜工程
（ロ）はエンボス工程
（ハ）は箔押し工程
（ニ）は空押し工程
【図１】
2005081836.tif 000003
(57)【要約】【課題】クランクアームの内側にペダルを収納でき、構造が簡単で、収納作業が容易な自転車のペダル収納構造を提供する。【解決手段】ペダル２を係合したペダルシャフト３をクランクアーム１の間に設置し、ペダルシャフト３をクランクアーム１にクランクシャフト４で支持する。【選択図】図１
2005081859.tif 000002
【特許請求の範囲】
【請求項１】
ペダル２を係合したペダルシャフト３をクランクアーム１の間に設置し、ペダルシャフト３をクランクアーム１にクランクシャフト４で支持していることを特徴とする自転車のペダル収納構造。
【発明の詳細な説明】
【技術分野】
【０００１】
本発明は、ペダルを収納することができる自転車のペダル収納構造に関するものである。
【背景技術】
【０００２】
自転車を保管する場合、ペダルが幅を取り、省スペース化の妨げとなっている。また降りた状態で側方に立ちながら自転車を押す場合、足がペダルに当たり、歩行の妨げとなっている。
【０００３】
自転車のクランクアームは、直線形状であることから、クランクアームを避けて、ペダルを収納させる場合、ペダルがクランクアームより内側に収納できなかったり、収納構造が複雑になったり、ペダルの収納に手間がかかるという欠点があった。
【特許文献１】特開２００１−２８７６８６号公報
【特許文献２】特開平１０−２６４８７７号公報
【発明の開示】
【発明が解決しようとする課題】
【０００４】
これは、次のような欠点があった。
ペダルがクランクアームより内側に収納できない。
ロ．収納構造が複雑になる。
ハ．ペダルの収納に手間がかかる。
本発明は、以上の欠点を解決する為になされたものである。
【課題を解決するための手段】
【０００５】
ペダル２を係合したペダルシャフト３をクランクアーム１の間に設置する。そして、ペダルシャフト３をクランクアーム１にクランクシャフトで支持する。
本発明は、以上の構成からなる自転車のペダル収納構造である。
【発明の効果】
【０００６】
ペダルが、完全にクランクアームより内側に収納される為、自転車の保管において、省スペース化が図れる。また、降りた状態で自転車を移動させる際、ペダルが足に当らず、歩行がスムーズになり、転倒や怪我を防止できる。
【発明を実施するための最良の形態】
【０００７】
以下、本発明の実施の形態を説明する。
ペダルシャフト３の回転軸と垂直方向に突出させて設けた円筒形のシャフトを、ペダル２の側面中央に設けた穴に挿入し係合する。
（ロ）ペダル２の収納スペースを有するクランクアーム１の間にペダルシャフト３を設置する。
（ハ）クランクアーム１の回転軸用の穴とペダルシャフト３の回転軸用の穴を合わせ、クランクシャフト４を挿入して支持する。
本発明は、以上の構成よりなっている。
【実施例１】
【０００８】
図1は、本発明構造の斜視図であり、ペダル収納前の状態である。この状態の時、ペダルはペダルシャフトに対して３６０正逆転回転可能である。図2は、クランクシャフトを回転軸として、ペダルをクランクアームに収納した状態である。ペダルシャフトは、回転軸に対し、９０度回転できる。
【産業上の利用可能性】
【０００９】
駐輪場の省スペース化を図ることができる。さらに、降りた状態で自転車を押す際、ペダルに足が当ることがないので、転倒や怪我を防止できる。
【図面の簡単な説明】
【００１０】
【図１】本発明の分解斜視図
【図２】本発明の斜視図
【図３】本発明の斜視図
【符号の説明】
【００１１】
１            クランクアーム
２            ペダル
３            ペダルシャフト
４            クランクシャフト
【図１】
2005081859.tif 000003
【図２】
2005081859.tif 000004
【図３】
2005081859.tif 000005
(57)【要約】      （修正有）【課題】痰の絡まりを除去する救急用具として、電気的な吸引器に代わり、呼吸困難時の患者に直ちに対処できる電気的な機具などを用いない用具を提供する。【解決手段】  先端に、稍弾力を持たせた丸い柔軟な「蒲の穂」型の吸着部分３（一度に多く吸着するため表面積を広く、縦襞にした）とハンドル（軸）からなるもので、乾・吸水時に繊維や屑片が粘膜に付着・残存しない材質を、一枚一体射出成型仕様とする。【選択図】  図２
2005081121.tif 000002
【特許請求の範囲】
【請求項１】
在宅患者用としての吸引器代用・咽喉粘膜（以下、痰とします）除去の為の吸着棒（以下、吸着棒とします）においては、
ａ  容易に、千切れたり繊維や屑が乾燥・吸水時にも付着・残存せず、ティシューペーパーと同じ程度の水分吸収性を持った材質を用い、
ｂ  衛生的で、身体特に咽喉粘膜を薬物・香料等で刺激することなく、
ｃ  形態としては、片方だけに「蒲の穂」形の吸着部分「この吸着部分の軸芯は稍弾力を持つ」ハンドル部（一斉、合成樹脂を用いない）ハンドル部（軸）の先端に吸着部分を一体成型、滑らかな丸みを帯びた仕様とし、
ｄ  吸着部分には患者の痰を、一度で多くの吸着を促すために表面積を広くとり、通常（使用前）は斜め又は縦襞にして表面を軽く固着（ｃ）の吸着部分は丸みを帯びたものとする、鼻液吸収綿棒「化粧を崩さず鼻液を吸収材により吸引する鼻腔挿入棒」が原点であり、拡大させたもので、電気的なものを用いない、（ａ）（ｂ）（ｃ）（ｄ）以上の構成からなる在宅患者用としての吸引器代用・咽喉粘液（痰）除去の為の吸着棒。
【発明の詳細な説明】
【発明の詳細な説明】
【技術分野】
【０００１】  家庭で誰にでも使える、在宅身体障害患者を看護人が患者に対して用いるものである。電気的なものを要しないで、痰の絡まりを吸引器に代わり除去する介助用具に関する。
【背景技術】
【０００２】  従来は、高齢者が家庭での「在宅治療」時、咽に痰が絡まったときは側にいる介護者が、割り箸の先に綿花つまり脱脂綿を指でくるくる巻いて「蒲の穂」型にしたものを、意識朦朧の患者の咽喉の稍奥まで差し込んで、注意深く廻しながら左右に動かし痰が絡んだのを手応えで感じてから引き出す。この様な手当を当然のようにやってきました。「蒲の穂」は予め作り、用意しておいたものです。現在は、衛生面で問題がありますが、それでも、患者の息苦しさが取れたと思ったときは周囲の者もほっとしたものです。前から、電気的吸引器も有りますが。
【発明が解決しようとする課題】
【０００３】やがて、戦後の団塊の世代が多勢というか、一勢に高齢者として押し寄せてきます。みんなが健常者とは限らず、加齢と共に皆、心身に老化も来ます。高齢者が総て、介護付き高級ホームや、軽い症状や持病の人が長期入院加寮は無理であり、いずれは、在宅治療に（欧米先進国に倣って）ならざるを得ません。その際、各家庭毎に一台ずつ電気的・吸引器を購入することも考えられますが、介護をする人も、痰の絡まりの多頻度の介助・排泄物の後始末、消毒液の取り扱い・洗浄等々煩わしさは介護者に過重の負担を掛ける。介護をする側も高齢者の場合が多数となって来ると言う問題点があります。
【０００４】  在宅治療の特に、一日の殆どをベッドで過ごす人は、概ね、身体的にも自力で食の摂取・排泄までも人の介助を必要とします。錠剤の薬も嚥下する力の弱った人には投薬しないと聞きます。咽に詰まった痰の絡みも自力では、吐き出すことも、くしゃみすら出来ず、時として切迫した事態に陥ることもあり、そのようになれば、即救急車を廻してもらう、となります。家庭の一軒一軒に吸引器が常備してあるとは限りません。
【課題を解決するための手段】
【０００５】  この様に、切迫した状態から、高齢者・患者を安息に導くためには、咽喉に溜まった痰を誰もが、簡単に、即座に除去するためにも使い捨て又、将来的には、環境を考慮して一部を切り捨てる方法等、繰り返し消毒して使える材質のものを用いる等、手近に（枕元）衛生的な包装による本件、「在宅患者用としての吸引器代用・咽喉粘液除去の為の吸着棒」が電気的な機具などを用いること無く、呼吸困難時の患者に直ちに対処できるものである。
【０００６】  本件発明になる、吸着棒において、衛生的であること、手近に置き、誰もが目に付く場所（患者の枕元）に、救急用具（痰の吸着棒）であることのマークをしっかり確認できるよう、汚物入れ容器とはなして、常備する。
【発明を実施するための最良の形態】
【０００７】  誰もが否応なく迎えることになるのであるが輪廻で、回り持ちである。使用法においては、製品化の際に注意書きを（咽喉部分の生理・解剖図等を入れた説明書）ベッドの寝位置との関係、横臥か、仰臥か？、どの程度の角度、どのくらい咽の奥まで持っていけるか？、吸着棒を使用する前処置として、
（イ）必ず患者の咽を白湯又は、水でしめらせるか、一口飲み込んでもらう。
（ロ）白湯か水でしめらせるか、一口飲み込んだ後に、吸着棒を挿入する。
（ハ）挿入時は該・吸着棒をどの所まで気道の確保等を考えながら操作できるものか、家族一同で研修しておくと言った、準備・学習も必要であり、
（ニ）吸着棒の挿入時は、介護者が、出来たら二人で一人は患者の頭部を動かぬように固定し、一人が、吸着棒を左廻りに廻しながら、咽喉部へ、奥へ届いたら、今度は、反対に右へ吸着棒を廻しながら痰を先端の襞に絡めとり引き出し終了です。
【発明の効果】
救急車を待つ間の、本件吸着棒を応急に用いることで危機を免れることもあり、患者も呼吸が楽になる等の効果があります。
【図面の簡単な説明】
【図１】  吸着棒一体成型の（約二倍）拡大平面図である
【図２】  吸着棒の先端部で、広い表面積を斜め又は、縦襞に折り込み仮着、丸く滑らかにした拡大平面図である
【図３】  吸着棒先端から見た斜め又は、縦襞を仮着した使用前の拡大側面図
【図４】  吸着棒を右に回しながら吸着を終わり取り出す際の吸着部分の状態を表す拡大図である
【図面の符号の説明】
１．  吸着棒の吸着部分
２．  吸着棒のハンドル（軸）
３．  吸着部分の斜め・縦襞仮着部
４．  仮着した使用前の吸着部分
５．  右廻しによる使用時の縦襞の状態を表すもの。
【図１】
2005081121.tif 000003
【図２】
2005081121.tif 000004
【図３】
2005081121.tif 000005
【図４】
2005081121.tif 000006
(57)【要約】【課題】従来のイオン発生器構造としては硬い材質、シート包材．塗装が主流で体の動き、皮膚運動、作業動等でイオン発生を促進する対応構造はなく常に一定のイオン排出効果だけとなっていた。これでは疾患部の症状、重軽対応が出来ず、あまり効果がない問題点があった。【解決手段】体の肌、皮膚運動にあわせた軟質硬度樹脂を使用し、トルマリン類電解鉱石を粉末配合し同時成形加工する事から伸縮作動から静電気を蓄積しイオン発生排出量を活性調節可能にしここの局部（疾患部）にあったイオン量を自動的に供給する事が出来ます。【選択図】なし【特許請求の範囲】
【請求項１】
本品は軟質樹脂剤に電解石粉末を配合した円状盤から体温、皮膚運動による摩擦電気に反応し、マイナスイオン発生を活性化する。又、軟質形状材質から指圧効果としては、手もみ感触をマイナスイオン効果と同時に可能にする目的である。
【請求項２】
本品の使用範囲は広く、靴の中敷や体の判創帯、体局部に使用することからの血行促進、自立神経不調等に使用することが可能な目的とする。
【請求項３】
本品は軟質樹脂類と電解石及び類した鉱石粉末を同時成形し、健康を助長する目的で開発されたものである。
【発明の詳細な説明】
【技術分野】
【０００１】  本発明は、トルマリン粉末及び類した鉱石を軟質樹脂材エラストマ及び類した樹脂に配合し同時成形したもので、マイナスイオンを状況に合わせ活性、促進することを考えた製造方法に関して。
【背景技術】
【０００２】  現在、多くの人々がＯＡ、コンピュータ関連事業から神経ストレス症候群と言われるほど肩こり、頭痛、めまい、といった自立神経失調症に悩まされております。従来のイオン発生機能としては、硬い固形物か粉包方式、塗装、溶解が多く、動作の変化にイオン排出量が一定である製造方法が主流とされてきた。
【発明の開示】
【発明が解決しようとする課題】
【０００３】  解決しようとする問題点は、従来のイオン発生方式では症状、動きに対応した局部、疾患部のイオン排出量の調節供給が思うように対応できず、常に一定量しか排出が出来ない問題点があった。【０００４】  又、従来の構造では、指圧の面で針圧効果は見られるものの、固形構造から肌との接触面において体内静電氣が生じにくく、イオン発生状況を阻害している。【０００５】  粉包やシール方式では、イオン排出量の調節が出きない事はもとより、使用時に粉砕、破砕等の商品管理上に問題点があった。
【課題を解決するための手段】
【０００６】  本発明は、軟質樹脂類にトルマリン及び電解石の粉末を配合し、手もみ感触から皮膚運動、作業時の接触振動から円状盤が形状変化する事により静電気が発生し、マイナスイオンが変動比例して排出量を変える事の製法を考えた。【０００７】  本発明は、軟質樹脂エラストマ及び類した樹脂材とトルマリン及び類した電解石を同時成形した製法である。
【発明の効果】
【０００８】  本発明の皮膚伸縮反応式イオン発生盤は、疾患部の症状、動作負荷に対しマイナスイオンの排出量が自動調節可能となり、重軽症状に適合したイオンを供給する事が出来、治癒効果を促進します。【０００９】  円状盤は成形物になっているため危険面及び衛生面での安全性が高い。又、過激な運動動作に対し形状を大判にする事も可能で多面的に使用される利点があります。
【発明を実施するための最良の形態】
【００１０】  硬度４０度位に軟質樹脂材を設定し鉱石を粉砕粉末パウダー状に加工し、配合同時成形した成形物にします。【００１１】  静止状態のイオン排出量と仮衝撃負荷後のイオン排出量の測定誤差を確認します。
(57)【要約】【課題】  粘着テープ式の清浄具にあっては、１回転ごとにテープを切り捨てなければ使えない不便さがある。【解決手段】  粘着ロールテープ１に巻き取り紙管２を圧着させて相互を同期回転させ、汚れたテープ部を連続して巻き取るようにした。【選択図】  図１
2005081125.tif 000002
【特許請求の範囲】
【請求項１】
粘着式ロールペーパーを連続使用できるように、巻き取り紙管を設け、これをベルトで粘着式ロールペーパーに圧着、同期回転させて巻き取ることを特徴とする清浄具。
【発明の詳細な説明】
【技術分野】
【０００１】本発明はカーペットや服に付着したゴミや埃を連続で清浄する粘着クリーナーに関するものである。
【背景技術】
【０００２】  カーペットや服に付着したゴミや埃を清浄する道具のなかに、粘着テープを用いて清浄する道具がある。【０００３】  吸引式掃除具では清浄しにくいカーペット等繊維類の清浄具としては粘着式テープが利用されている。【０００４】  粘着式テープはロールテープになっていて、一回転分でテープを切り捨てる方法がとられている。【０００５】  ゴミや埃が付着した一回転分のロールテープを切り取り線で、切り取り捨てて、新規の面で再び使用している。
【発明の開示】
【発明が解決しようとする課題】
【０００６】  解決しようとする問題点は、直径５５ミリの太巻ロールテープであっても一回転の長さは僅か１２７．７ミリ即ち、約１３センチしかない。
汚れの程度にもよるが、この長さでは極く僅かな面積しか清浄できない。
例えば、家庭の６畳間のカーペットを一回転１３センチのロールテープで掃除をした場合、少なくても６回、多くて２０回以上、ゴミや埃が付着したロールテープを一回転分づつ、即ち１３センチづつ切り取り線で切り捨てながら使用しなければならない。
一回の掃除の最中に何回も手入れをしなければならないこと自体が折角の道具を使いにくいものにしてしまっている。
ゴミや埃が付着した粘着テープを一枚一枚剥ぎとる作業が大変困難なものであることも問題である。
【課題を解決しようとする課題】
【０００７】  本発明は、ゴミや埃が付着して汚れたテープ部を自動的に巻き取りながら、ワンロール全部を連続して使い切れるようにしたことを特徴とする粘着式ロールテープ清浄具。
【発明の効果】
【０００８】  本発明の粘着クリーナーは、広い面積を清浄する場合においても、途中においてはなんの手入れも要しないという使い勝手のよい利点をもった掃除機である。
【発明を実施するための最良の形態】
【０００９】  巻き取り側の管は、粘着ロールテープをワンロール巻き取ったあと、ロールテープと共に廃棄できるように新しい粘着ロールテープの芯である紙管に、巻き取り用の切り込みをいれたものを順繰りに利用できるようにした。
【実施例】
【００１０】  図１は、本発明装置の１実施例を説明するための側面図であ。【００１１】  図１の図中、カーペット床６を矢印ａの方向へ粘着ロールテープ１を矢印ｂの方向に回転させながら掃除をするとき、粘着ロールテープ１の外周部に接触する位置に、巻き取り紙管２を置き、この相互間を圧着させて同期回転させるように伸縮ベルト５を設けたものである。【００１２】  このとき、伸縮ベルト５は回転を伝える伝導ベルトとしての役割があるわけではなく、単にテープ１と紙管２とを圧着させることを目的とした伸縮ベルトとしての役割を持たせている。【００１３】  伸縮ベルト５の目的が圧着目的であるので、ベルト掛けプーリーは固定プーリーではなくフリープーリーとなる。【００１４】  プーリーをフリープーリーとしなければならない他の理由として、ロールテープ１と紙管２の相互間の回転数が刻々と変化するからである。【００１５】  また、新品状態のテープ外形と使い終わったあとのテープ外形とは、ゴミ・埃の付着により直径が若干異なる。この逃げの方法として紙管２の軸を受ける軸穴を若干長穴とする。
【産業上の利用可能性】
【００１６】  広い面積のカーペット敷き床上のゴミや埃を、途中において手間を掛ずに一発で掃除ができるのは勿論、オーバーコートなどの衣服、部屋の壁などを連続して清浄化できるのであるから、今後においては業務用への利用の可能性が広まる。
【図面の簡単な説明】
【００１７】
【図１】エンドレス粘着クリーナーの実施方法を示した説明図である。（実施例１）
【符号の説明】
【００１８】  １  粘着ロールテープ
２  巻き取り紙管
３  支持枠骨
４  握り手ロッド
５  伸縮ベルト
６  カーペット床
【図１】
2005081125.tif 000003
(57)【要約】【課題】ホールポストを狙いボールにクラブのスイートスポットを合わせる一連の動作と視認が完了したとき視野内のシャフト下部にスイートスポット標識と中心標識の反射像が映る構成を提供する。【解決手段】ヘッド上面を平面乃至１５０ｍｍＲとしスイートスポット標識及びこれと直交する中心標識を設置する、シャフトは円筒形で少なくとも下端から５ｃｍ乃至３０ｃｍは塗装又は等価の方法で鏡面に仕上げられていてヘッドの重心を通り後ろへ１５度傾けて挿着されている。【選択図】図１
2005081122.tif 000002
【特許請求の範囲】
【請求項１】
ヘッドとシャフトからなるグラウンドゴルフクラブにいおて、ヘッドは上面が平面乃至１５０ｍｍＲの円筒面であり、シャフトは円筒形で下端から５ｃｍ乃至３０ｃｍは鏡面仕上げされていて、ヘッドの重心を通り後ろへ１５度傾けてヘッドに挿着されている。ヘッド上面にはヘッドを横断するスイートスポットを案内する線状標識とそれと直交し前端まで伸びる線状中心標識を設置した事を特徴とするグラウンドゴルフ用クラブ。
【発明の詳細な説明】
【技術分野】
【０００１】本発明はグラウンドゴルフクラブのヘッド上面の標識とシャフトの相互位置に関する。
【背景技術】
【０００２】グラウンドゴルフクラブはＪＧＧＡの規則に従って設計製作される、即ちヘッドは木質で上面は平面、円筒面、又は特殊形で、シャフトは木質の円筒形である。ヘッド上面には線、矢印、文字によるスイートスポットを案内する標識が設けられている例も有る。
【発明の開示】
【発明が解決しようとする課題】
【０００３】スイートスポットを案内する標識（以下スイートスポット標識と呼ぶ）を設置することは広く行われている、本案は標識の形とシャフトの相互位置により、ホールポストを狙い、打撃姿勢を整え、スイートスポットとボールの中心を合わせる、一連の動作と観察の同一視野内でシャフトの下部に映る標識の反射像を見ることにより作業が完了したことを認知できる構造を提供する。
【課題を解決するための手段】
【０００４】グラウンドゴルフクラブはＪＧＧＡの規則に従って設計製作する、即ちヘッドは木質で上面は平面乃至円筒面で、ヘッド上面にスイートスポット標識及びこれと直交し前へ伸びる中心標識を設置する、標識はヘッドの色彩の反対色を選択して、鮮明にすると共にシャフト上の反射像が克明に見えるようにする。
シャフトは円筒形で少なくとも下端から５ｃｍ乃至３０ｃｍは塗装やシールによって鏡面に仕上げられヘッドの重心を通り後ろへ１５度傾けて挿着し、スイートスポット標識が写り易い面の質と相互位置を提供する。
【発明の効果】
【０００５】本発明によれば二重にスイートスポットの合わせ作業の完了が認知される、即ち、ホールポストを狙い、スイートスポット標識に案内されてスイートスポットとボールを合わせ、打球姿勢を確かめる視野内のシャフト下部に、狙いと姿勢が整った時に、スイートスポット標識とこれと直交する中心標識の反射像が矢印形に現れる。この反射像は熟練者初心者を問わず見えるものであり、誰にでも打球姿勢が整ったことを二重に認知させることが出来る。次にテイクバックして打球すれば球をホールポスト方向へ安定して飛ばすことが出来て有効である。
【発明を実施するための最良の形態】
【０００６】グラウンドゴルフクラブはＪＧＧＡの規則に従って設計製作される。ヘッドは木質で上面は半径２００ｍｍの円筒面で黒又は紺の光沢色で、シャフト穴の前方にヘッドを横断する白色のスイートスポット標識とこれと直交し前端まで伸びる白色の中心標識を設置する。二つの標識は合わせて逆Ｔ字形になる。シャフトは直径２０ｍｍの円筒形で下部は塗装により鏡面仕上げされていて、ヘッドの重心を通り後方へ１５度傾けて挿着する。
【実施例】
【０００７】グラウンドゴルフクラブはＪＧＧＡの規則に従って設計製作される。
図１に基づいて説明すると、シャフト１、は木質で下部は塗装又はシールによって鏡面仕上げされていて、ヘッド２、の重心を通り後方へ１５度傾けて挿着されている。ヘッド２、は木質で打球面３、打球面の中にスイートスポット４、がある。ヘッド２、の上面は９、前端は７、後端は８、である、シャフト穴の前にヘッドを横断するスイートスポット標識５、これと直交し前方に伸びる中心標識６、が設置されている。下面にはソールプレート１０、が装着されている。１２は使用者の視点、１３及び１４は光線である。
図２は打球姿勢が整った時の視界を説明する図でスイートスポット標識及び中心標識の反射像１１、使用者の視点１２、光線１３、１４、が示されている。
【産業上の利用可能性】
【０００８】本発明はヘッド上面の標識の形と色彩、シャフトの下部の反射像が映りやすい表面処理、打球姿勢とシャフト上に反射像が見える条件を整えたのが特徴であるから既存の生産技術で実施できる。
【図面の簡単な説明】
【０００９】
【図１】本案のクラブヘッドの全体を示した図である。
【図２】本案のシャフトに像を結ばせる条件と反射像を示した図である。
【符号の説明】
【００１０】１    シャフト
２    ヘッド
３    打球面
４    スイートスポット
５    スイートスポット標識
６    中心標識
７    前端
８    後端
９    上面
１０  ソールプレート
１１  反射像
１２  視点
１３  光線
１４  光線
【図１】
2005081122.tif 000003
【図２】
2005081122.tif 000004
(57)【要約】【課題】この発明は、２本のイルリガードルスタンドの間に位置する電源ボックスに関するものである。【解決手段】電源ボックス（１）両側面にポールクランプ（２）を設ける。【選択図】図１
2005081120.tif 000002
【特許請求の範囲】
【請求項１】
（イ）電源ボックス１両側面にポールクランプ２を設ける。
以上の如く構成された、イルリガードルスタンド連結電源ボックス。
【請求項２】
ポールクランプ２を省き、直接イルリガードルスタンド５に溶接６した請求項１のイルリガードルスタンド連結電源ボックス。
【請求項３】
ポールクランプ２を省き、電源ボックス１両側面にネジ穴４を設けた請求項１のイルリガードルスタンド連結電源ボックス。
【発明の詳細な説明】
【技術分野】
【０００１】  本発明は、２本のイルリガードルスタンドの間に位置する電源ボックスに関するものである。
【背景技術】
【０００２】  現代医療において医用機器類の多種多用化は各医療機関に浸透し、医用機器無しでの治療は、もはや考えられない状態になっている。手術室を始め、ＩＣＵ、ＣＣＵなどに数多くの医用機器類が設置されている。輸液装置も例外ではない。１人の患者に十数台の輸液ポンプを接続する治療も行われるが、これには多くの問題が存在している。
その一つは、設置場所である。薬液投与治療は、その性格から患者の近くに輸液投与装置を置かざるを得ない。結果的に多くの輸液機器類が塊になり、その各機器からでる数多くの電源コードが、色々なトラブルを引き起こしている。医用機器の多くは２次電池が内蔵され、電源トラブル発生時や移動時でも機能を中断することはない。輸液装置でも、常時電源コンセントに接続されていることが前提になる。このことで、電源コードが多くなるがコンセント数に限りがあるため、どうしても危険な蛸足配線になってしまう。蛸足配線状態で、電線が１本抜けていても見落としやすく、やがて電圧低下警報などでコンセントから抜けていることが分かるが、どの機器のコードがどこにつながっているのか分からずに混乱する。これらからも、機器類のコンセントの差込口がすっきりすることは、接続抜けや接続忘れも発見しやすく安全対策の上でも必要な事である。
もう一つは、移動時である。十数台の輸液ポンプがイルリガードルスタンドに装着されている場合、不安定でちょっとした移動もままならない。
【発明の開示】
【発明が解決しようとする課題】
【０００３】  十数台の輸液ポンプを接続する治療等では、コード配線が団子になったり、移動時のイルリガードルスタンドの安定性が低かった。
本発明は、以上のような欠点をなくすためになされたものである。
【課題を解決するための手段】
【０００４】  いま、その構成を説明すると、
（イ）電源ボックス１両側面にポールクランプ２を設ける。
以上のように装置する。
【発明を実施するための最良の形態】
【０００５】  次に本発明の実施の形態を述べると、電源ボックス１両側面にポールクランプ２を設ける。
本発明は、以上のような構造でこれを使用するときは、電源源ボックス１の両端に取り付けたポールクランプ２でイルリガードルスタンド５に固定するだけでよい。【０００６】  また、電源ボックス１をポールクランプ２で固定するのではなく、直接電源ボックス１とイルリガードルスタンド５を溶接６しても同様の効果が得られる。【０００７】  さらに、電源ボックス１をポールクランプ２で固定するのではなく、電源ボックス１にネジ穴４を設け、イルリガードルスタンド５にネジ７で固定しても同様の効果が得られる。
【発明の効果】
【０００８】  したがって、コード配線が団子になったりせず、移動時のイルリガードルスタンドの安定性が高い電源ボックスである。
【図面の簡単な説明】
【０００９】
【図１】    本発明の斜視図
【図２】    本発明の他の実施例の斜視図
【図３】    本発明の使用斜視図
【図４】    本発明の溶接固定実施例の斜視図
【図５】    本発明のネジ止め固定実施例の斜視図
【符号の説明】
【００１０】    １は電源ボックス
２はポールクランプ
３はコンセント
４はネジ穴
５はイルリガードルスタンド
６は溶接
７はネジ
【図１】
2005081120.tif 000003
【図２】
2005081120.tif 000004
【図３】
2005081120.tif 000005
【図４】
2005081120.tif 000006
【図５】
2005081120.tif 000007
(57)【要約】【課題】この発明は、大動脈バルーンパンピングカテーテルを使用する際に、動脈閉塞、出血、カテーテル損傷などの合併症を予防し、安全に皮膚に固定するための装置に関するものである。【解決手段】透明のシリコンの板（１）の中央にカテーテルが通る穴をつける。表面中央の穴に合わせて斜めに、シリコンの円筒（２）をつけ、シリコン版（１）の裏に穴を囲むようにシリコンのＵの字型の段差（３）をつける。大動脈内バルーンパンピングカテーテルを動脈に挿入した後に、この装置内を通すことにより皮膚に固定させる。【選択図】図４
2005081114.tif 000002
【特許請求の範囲】
【請求項１】
（イ）透明のシリコンの板（１）の中央にカテーテルが通る穴をつける。
（ロ）シリコン板（１）の表面中央の穴に合わせて斜めに、シリコンの円筒（２）をつける。
（ハ）シリコン版（１）の裏に、穴を囲むようにシリコンのＵの字型の段差（３）をつける。
（ニ）大動脈内バルーンパンピングカテーテルを動脈に挿入した後に、カテーテルをこの装置内を通すことにより皮膚に固定させる。
以上の如く構成された、大動脈内バルーンパンピングカテーテル挿入後の皮膚固定用装置。
【発明の詳細な説明】
【発明の詳細な説明】
【技術分野】
【０００１】  大動脈内バルーンパンピングカテーテルとは、心不全の患者に心機能を補うために、心電図と同期して下行大動脈内で拍動させ、ポンプ機能を得る医療器具である。大動脈バルーンパンピングカテーテルを留置する際には、直接皮膚から大腿動脈に挿入するため、安全に皮膚にしっかり縫合固定させることが重要である。この発明は大動脈バルーンパンピングカテーテルの皮膚固定に関するものである。
【背景技術】
【０００２】従来の方法では、予め「シースイントロデユーサー」と呼ばれる太い固定器具を皮膚から動脈内に留置した上で、大動脈バルーンパンピングカテーテルをこの「シースイントロデユーサー」中を通すことで固定する方法と、「シースイントロデユーサー」を使用せずにカテーテルを直接皮膚に縫合固定する方法しかなかった。この「シースイントロデユーサー」は外径３．２７ｍｍとカテーテルの２．７０ｍｍに対してかなり太いために、留置後に大腿動脈の閉塞を生じたり、抜去時に出血が止まらず圧迫止血が困難となったりするトラブルがあった。また、「シースイントロデユーサー」を使用せずに、カテーテルを直接留置する方法ではカテーテルを皮膚に直接縫いつけるために、カテーテルが折れて損傷してしまったり、また皮膚とカテーテルの隙間から出血したりするといった問題があった。
【発明が解決使用とする課題】
【０００３】  本発明は、こうした大動脈バルーンパンピングカテーテル留置後の大腿動脈閉塞、出血、カテーテル損傷などの問題を解決するために発明されたものである。
【課題を解決するための手段】
【０００４】その構成を説明すると、
（イ）透明のシリコンの板（１）の中央にカテーテルが通る穴をつける。
（ロ）シリコン板（１）の表面中央の穴に合わせて斜めに、シリコンの円筒（２）をつける。
（ハ）シリコン版（１）の裏に、穴を囲むようにシリコンのＵの字型の段差（３）をつける。
（ニ）大動脈内バルーンパンピングカテーテルを動脈に挿入した後に、カテーテルをこの装置内を通すことにより皮膚に固定させる。
以上のように装置する。
【発明を実施するための最良の形態】
【０００５】  次に本発明の実施の形態を述べると、まず大動脈内バルーンパンピングカテーテルを「シースイントロデユーサー」を使用せずに挿入することで、動脈穿刺がより小さな傷で済むことになり、カテーテル抜去後の止血が容易になる。また、シリコン板の裏にあるＵの字型の段差（３）が穿刺部動脈周囲を圧迫するので有効な止血効果がある。また、大動脈内バルーンパンピングカテーテルはシリコンの円筒（２）を介して皮膚から斜めの角度で動脈内へ入るので、カテーテルが折れて損傷することがなく、穿刺部動脈に対するストレスが少ない。さらに、シリコンの板（１）は透明なので穿刺部位からの出血など観察が大変しやすい。
【発明の効果】
【０００６】  したがって、本発明により大動脈内バルーンパンピングカテーテル挿入後の合併症としてあった動脈の閉塞、出血、カテーテル損傷、などの問題点が解決される。
【図面の簡単な説明】
【図１】本発明の正面図
【図２】本発明の側面図
【図３】本発明の裏面図
【図４】本発明の使用実際図（断面図）
【符号の説明】
１はシリコン板
２はシリコン円筒
３はシリコンＵの字段差
【図１】
2005081114.tif 000003
【図２】
2005081114.tif 000004
【図３】
2005081114.tif 000005
【図４】
2005081114.tif 000006
(57)【要約】【課題】この発明は、従来の床ずれ防止ベットはベットを左右に傾けて体位を変るもので、寝たきりの患者の体位を変えるにはベットを左右に傾けるだけでなく体位を固定する補助マットなどが必要で、患者にも腹部圧迫などの負担を掛けていた。寝たきりの患者に負担をかけないようにベットを水平の状態で患者の背部を等間隔の支点で持ち上げ、背部の血行を良くすると共に背部を乾燥させ床ずれを防止する事を目的としている【解決の手段】  この発明を図面に基づいて説明すると、図１に示すようにマッを等間隔で輪切りにし、一個置きに外枠の架台に取り付け固定用マットと可動用マットの２種類に分け可動用マットは固定用マットの枠の中に上下に動くように取付ける。この可動用マットを上下に移動させるために昇降機や巻き上げ機及び圧力ポンプなどをベットの下に取り付け可動用マットを任意の高さに上下移動させる、又タイマなどによって自動的に上下させてもうつ伏せによる窒息事故などが無く安全である。【選択図】  図１
2005081115.tif 000002
【特許請求の範囲】
図１のようにマットを輪切りにし一個置きに外枠の架台に取り付け固定用マットと可動用マットの２種類に分け可動用マットは固定用マットの枠の中に上下に動くように取り付けた床ずれ防止ベット
【発明の詳細な説明】
【発明の詳細な説明】
【技術分野】
【０００１】この発明は寝たきり患者の床ずれ防止ベットに関する。
【背景技術】
【０００２】従来の床ずれ防止ベットとしてはベットを左右に傾けて体位を変えるものであった。
【発明が解決しようとする課題】
【０００３】この発明は、従来の床ずれ防止ベットはベットを左右に傾けて体位を変えるもので、寝たきりの患者の体位を変えるにはベットを左右に傾けるだけでなく体位を固定する補助マットなどが必要で、患者にも腹部圧迫などの負担を掛けていた。
寝たきりの患者に負担をかけないようにベットを水平の状態で患者の背部を等間隔の支点で持ち上げ、背部の血行を良くすると共に背部を乾燥させ床ずれを防止する事を目的としている
【課題を解決するための手段】
【０００４】この発明を図面に基づいて説明すると、図１に示すようにマットを等間隔で輪切りにし一個置きに外枠の架台に取り付け固定用マットと可動用マットの２種類に分け可動用マットは固定用マットの枠の中に上下に動くように取り付ける。
【発明を実施するための最良の形態】
【０００５】以上のように構成された、床ずれ防止ベットのシステムを説明する。
図１はマットを等間隔で輪切りし一個置きに外枠の架台に固定用と可動用に分けて取り付け可動用マットは固定用マットの下に上下に動くように取り付けられており、通常は図１のように固定用マットと可動用マットは同一レベルにありベットの状態にある。
可動用マットの高さを任意に変えることによって可動用マットで患者を持ち上げたり、固定用マットより下げることで持ち上げた時とは別の背部を固定用マットで支えることで患者の背部の圧迫を和らげ血行を快復させ床ずれを防止する。
【実施例】
【０００６】図１はマットを等間隔で輪切りし一個置きに外枠の架台に固定用と可動用に分けて取り付け、可動用マットは固定用マットの下に上下に動くように取り付けた床ずれ防止ベットの側面図である
固定用マットと可動用マットは同一レベルにあり通常のベットとして使用する。
図２は可動用マットを押し上げ可動用マットで患者を支えた側面図である。
患者の背部は可動用マットのみで支えられている。
図３は可動用マットを押し下げた状態の側面図である。
可動用マットは固定用マットより下位のレベルに位置して患者は固定用マットのみで支えられている。
以上のように可動用マットを上下に移動させるために昇降機や巻き上げ機及び圧力ポンプなどをベットの下に取り付け可動用マットを任意の高さに上下移動させる。
【発明の効果】
【０００７】この発明は、以上説明したように寝たきり患者の床ずれを防止し、左右の寝返り型のベットのように患者に負担をかけず患者を固定する補助マットも必要としない、又タイマーなどによって自動的に上下させても安全である。
【図面の簡単な説明】
【図１】固定用マットと可動用マットが同一レベルの状態の側面図である。る。
【図２】図２は可動用マットを押し上げ可動用マットで患者を支えた側面図である。
【図３】図３は可動用マットを押し下げた状態の側面図である。
【符号の説明】
１．固定用マット
２．可動用マット
３．固定用マット取り付け架台
４．可動用マット取り付け架台
【図１】
2005081115.tif 000003
【図２】
2005081115.tif 000004
【図３】
2005081115.tif 000005